(57)【要約】      （修正有）【課題】網点印刷の解像度を高め、画像の粗さを低減した立体画像印刷物を有する立体画像印刷表示装置を提供する。【解決手段】立体画像印刷表示装置１５の立体画像印刷物５は、レンチキュラーレンズ４と、レンチキュラーレンズ４の背面に貼付される網点画像印刷物３とにより構成される。細長画像の階調表現を行う最小単位の領域内において、同色版についての画素への網点配置順位はランダムに設定されており、しかも、当該半円筒状レンズの長手方向に直行して連続的に配列された所定数の細長画像においては、網点配置順位は同一とされている。そして、印刷すべき画素が連続的に繋がった領域については連続して網点印刷される。【選択図】図３
2010258539.tif 000002
【特許請求の範囲】
【請求項１】
複数の半円筒状レンズが連続的に配列されてなるレンチキュラーレンズと、
前記レンチキュラーレンズの背面に配置され、各半円筒状レンズに対応して複数の細長画像が連続的に配列された網点画像印刷物と、
前記網点画像印刷物を背面から照射するためのバックライト装置とを備えており、
前記網点画像印刷物は、細長画像の階調表現を行う最小単位の領域を含むとともに、各最小単位の領域は多数の画素を有し、最小単位の領域の画素に対して同色版により網点を印刷する優先順位はランダムに設定されており、
当該半円筒状レンズの長手方向に直行して連続的に配列された所定数の細長画像間では、前記優先順位の配列は同一とされており、当該半円筒状レンズの長手方向に対して直行する方向に隣接する印刷すべき画素が連続している領域は、連続的に網点印刷されている
ことを特徴とする立体画像印刷表示装置。
【請求項２】
前記優先順位の配列が同一とされている所定数の細長画像の範囲は、半円筒状レンズに対応した印刷範囲であることを特徴とする請求項１に記載の立体画像印刷表示装置。
【請求項３】
前記網点画像印刷物は、隣接する２つの半円筒状レンズに対応する所定数の細長画像を含む隣接する２つのグループ間において、前記網点印刷の優先順位の配列は異なるようランダムに設定されていることを特徴とする請求項１又は２に記載の立体画像印刷表示装置。
【請求項４】
前記網点画像印刷物は、所定数の細長画像を含む隣接する２つのグループ間において、前記網点印刷の優先順位の配列は異なるようランダムに設定されていることを特徴とする請求項１に記載の立体画像印刷表示装置。
【請求項５】
前記優先順位の配列が同一とされている所定数の細長画像の範囲は、半円筒状レンズに対応した印刷範囲よりも狭いことを特徴とする請求項１に記載の立体画像印刷表示装置。
【請求項６】
同じ細長画像に対する前記優先順位の配列は、色版ごとに、異なるようにランダムに設定されていることを特徴とする請求項１〜５のうちいずれか一項に記載の立体画像印刷表示装置。
【請求項７】
前記優先順位の配列が同一とされている所定数の細長画像の範囲は、色版ごとにずれているか、色版ごとに当該範囲の大きさが異なることを特徴とする請求項５に記載の立体画像印刷表示装置。
【発明の詳細な説明】
【技術分野】
【０００１】
本発明は、レンチキュラーレンズを用いた立体画像印刷物を備える立体画像印刷表示装置に関し、特に、レンチキュラーレンズの背面に配置され、濃度階調表現に係る網点画像印刷物の網点印刷技術に関するものである。
【背景技術】
【０００２】
従来、商品やサービスの広告用に、ポスターや広告印刷物を見る者に目立たせるため、商品やサービスの象徴的な画像を立体的に見えるようレンチキュラーレンズを用いた立体画像印刷物が利用されている。このような立体画像印刷物は、異なる角度から撮影された画像が、短冊状に分割されて、レンチキュラーレンズの背面にその半円筒状レンズに沿って配列されたものである（例えば、特許文献１、２）。
【０００３】
レンチキュラーレンズの背面に配置される画像の網点印刷方式としては、ＦＭ（周波数変調）スクリーン法とＡＭ（振幅変調）スクリーン法とが知られている（例えば、特許文献１）。ＦＭスクリーン法は、一定の大きさを持った網点の密度によって濃度階調が表現し、ＡＭスクリーン法は、網点の大きさによって濃度階調を表現する方法である。また、細長画像の網点印刷において、印刷する網点ができるだけ分散するように、図１１に示すように、ＦＭスクリーン法によって、ランダムに網点Ａを印刷する方法も提案されている（特許文献２）。
【先行技術文献】
【特許文献】
【０００４】
【特許文献１】特開平９−６１９５０号公報
【特許文献２】特開２００７−２３３１０５号公報
【発明の概要】
【発明が解決しようとする課題】
【０００５】
観察点を水平方向に変える際に、立体画像印刷物の立体画像をきめ細かく展開するようにするために、細長画像をできる限り多く配置することが望ましく、そうであれば刷版機や印刷機等の最高解像度の画素単位で描画したいところである。ところが、特許文献２に記載の発明のようなランダムな網点印刷であると、印刷すべき一つの網点に隣接する周囲の画素は印刷しない、という網点が多く存在することになる。そのような場合、画素が刷版機等の最高解像度における画素単位のように非常に小さい場合、刷版機では均一に描画されなかったり、インキが紙に転写しなかったり、インキが紙に着肉しなかったりといった問題が発生しうる。
【０００６】
例えば、２４００ｄｐｉの性能を有する刷版機等を用いて、ＦＭスクリーン法により、その解像度を以って網点を印刷する場合、細長画像の幅は約１０μｍとなり、画素も約１０μｍ×１０μｍの大きさとなる。しかしながら、一般の刷版機等においては、１０μｍサイズの網点を印刷するのは非常に困難であり、用紙にインキが着肉しないなどの問題が生じる。そうすると、図１１に示されるような散在した画素に対して、描画できない箇所が多く発生しうる。そのため、実際には、例えば、二倍サイズの約２０μｍ×２０μｍの単位を最小画素とし、解像度を１２００ｄｐｉに落として網点印刷することが行われており、この場合、レンチキュラーレンズの一つの半円筒状レンズに対する細長画像の個数も１／２に減らさざるえを得なかった。
【０００７】
そこで、本発明は、網点印刷の解像度を高め、画像の粗さを低減した立体画像印刷物をを有する立体画像印刷表示装置を提供することを目的とする。
【課題を解決するための手段】
【０００８】
本発明に係る立体画像印刷表示装置は、複数の半円筒状レンズが連続的に配列されてなるレンチキュラーレンズと、前記レンチキュラーレンズの背面に配置され、各半円筒状レンズに対応して複数の細長画像が連続的に配列された網点画像印刷物と、前記網点画像印刷物を背面から照射するためのバックライト装置とを備えており、前記網点画像印刷物は、細長画像の階調表現を行う最小単位の領域を含むとともに、各最小単位の領域は多数の画素を有し、最小単位の領域の画素に対して同色版により網点を印刷する優先順位はランダムに設定されており、当該半円筒状レンズの長手方向に直行して連続的に配列された所定数の細長画像間では、前記優先順位の配列は同一とされており、当該半円筒状レンズの長手方向に対して直行する方向に隣接する印刷すべき画素が連続している領域は、連続的に網点印刷されていることを特徴とする。
【０００９】
この立体画像印刷表示装置によれば、細長画像の階調表現を行う最小単位の領域内において、同色版についての画素へ網点を印刷する優先順位はランダムに設定されいるため、網点は散在して画像の粗さが低減される。しかも、当該半円筒状レンズの長手方向に連続的に直行して配列された所定数の細長画像ごとに、その網点印刷の優先順位の配列は同一とされているので、その結果、当該半円筒状レンズの長手方向に対して直行する方向に隣接する印刷すべき画素が決定される。網点画像印刷物の特徴として、同じ対象物を、角度を変えて観察した画像を連続的に配列させるために、半円筒状レンズ内に対応する網点画像印刷物においては、細長画像の内容が徐々に変化する場合が多く、その印刷すべき画素は、連続的に繋がった領域を有することになるため、その連続した領域については、連続的に網点印刷することにより、解像度を高く設定しても、着肉よく確実に印刷することができる。さらに、バックライト装置の照明により網点画像印刷物を明るい状態で観察することができる。
【００１０】
上記立体画像印刷表示装置において、前記優先順位の配列が同一とされている所定数の細長画像の範囲は、半円筒状レンズに対応した印刷範囲であるとよい。この構成により、半円筒状レンズに対応した印刷範囲に対応して設定される細長画像における優先順位が設定しやすい。
【００１１】
また、立体画像印刷表示装置において、前記網点画像印刷物は、隣接する２つの半円筒状レンズに対応する所定数の細長画像を含む隣接する２つのグループ間において、前記網点印刷の優先順位の配列は異なるようランダムに設定するとなお好ましい。このような構成とすることにより、まとまったランダム配列が繰り返されて配置されることを避けることができる。また、前記網点画像印刷物は、所定数の細長画像を含む隣接する２つのグループ間において、前記網点印刷の優先順位の配列は異なるようランダムに設定してもよい。
【００１２】
或いは、上記立体画像印刷表示装置において、前記優先順位の配列が同一とされている所定数の細長画像の範囲は、半円筒状レンズに対応した印刷範囲よりも狭く構成するとよい。この構成により、同様の画像濃度が連続する領域があったとしても、前記優先順位の配列が同一とされている所定数の細長画像の範囲を、半円筒状レンズに対応した印刷範囲よりも狭くすることで、描画されない画素が長く連続しないようにすることができ、視認によるざらつき感をより解消することができる。
【００１３】
ここで、上記立体画像印刷表示装置において、同じ細長画像に対する前記優先順位の配列は、色版ごとに、異なるようにランダムに設定されていると良い。この構成により、印刷する網点を色版によって散在させ、色を適度に分散させて、同じ色が連続する頻度を抑えることができことにより、視認によるざらつき感をより低減することができる。
【００１４】
また、前記優先順位の配列が同一とされている所定数の細長画像の範囲は、色版ごとにずれているか、色版ごとに当該範囲の大きさが異なるよう構成するとよい。このように構成することで、当該範囲において、印刷する網点を色版によって散在させ、色を適度に分散させて、同じ色が連続する頻度を抑えることができることにより、視認によるざらつき感をより低減することができる。
【発明の効果】
【００１５】
本発明によれば、網点印刷の解像度を高め、画像の粗さを低減した立体画像印刷物を有する立体画像印刷表示装置を提供することができる。
【図面の簡単な説明】
【００１６】
【図１】立体画像印刷表示装置の立体画像印刷物に用いられる網点画像印刷物の作製方法を示した図であり、  （Ａ）はステレオカメラによって被写体を撮影する様子を示す図、  （Ｂ）はステレオカメラの各カメラによって撮影され、網点画像印刷物を作成するために分割されることを示す図、  （Ｃ）は分割された細長画像が組み合わされて作成された網点画像印刷物を示す図である。
【図２】立体画像印刷物の分解斜視図である。
【図３】立体画像印刷表示装置の分解斜視図である。
【図４】第１実施形態に係る立体画像印刷物を説明する図であり、  （Ａ）は網点画像印刷物を示す図であり、  （Ｂ）は網点画像印刷物に対するレンチキュラーレンズの配置を示す図である。
【図５】立体画像印刷物における網点画像印刷物とレンチキュラーレンズとの配置関係を説明する図である。
【図６】レンチキュラーレンズのレンズ効果による網点画像印刷物の観察位置を説明する図である。
【図７】レンチキュラーレンズのレンズ効果による網点画像印刷物の観察状態を説明する図である。
【図８】第２実施形態に係る立体画像印刷物を説明する図であり、  （Ａ）は網点画像印刷物を示す図であり、  （Ｂ）は網点画像印刷物に対するレンチキュラーレンズの配置を示す図である。
【図９】第３実施形態に係る立体画像印刷物における網点画像印刷物とレンチキュラーレンズとの配置関係を説明する図である。
【図１０】半円筒状レンズの背面に対して貼付される網点画像印刷物に印刷する各色版におけるグループの配列を示す概念図である。
【図１１】従来の立体画像印刷物に利用された網点画像印刷物の網点を説明する図である。
【発明を実施するための形態】
【００１７】
以下、図面を参照しながら、本発明に係る立体画像印刷表示装置の好適な実施形態について説明する。
【００１８】
＜第１実施形態＞
まず、第１実施形態に係る立体画像印刷表示装置に用いられる立体画像印刷物について説明する。図１は、立体画像印刷物に用いられる網点画像印刷物３の作製方法を示した図である。図１（Ａ）に示すように、ステレオカメラ１の各カメラ１ａ、１ｂ、１ｃ、１ｄを水平に配列するように設置して、被写体２を撮影する。図１（Ｂ）は、各カメラ１ａ〜１ｄによって撮影された画像を示し、図１（Ｂ）のＢ−１は、カメラ１ａによって撮影された画像Ｇ１、図１（Ｂ）のＢ−２は、カメラ１ｂによって撮影された画像Ｇ２、図１（Ｂ）のＢ−３は、カメラ１ｃによって撮影された画像Ｇ３、図１（Ｂ）のＢ−４は、カメラ１ｄによって撮影された画像Ｇ４である。これらの画像Ｇ１〜Ｇ４は、使用されるレンチキュラーレンズの半円筒状レンズの個数に応じて、縦に分割される。
【００１９】
図１（Ｂ）において、Ｂ−１の画像Ｇ１が分割された画像を左から順に、細長画像ｓ１１、ｓ１２、ｓ１３、…とする。同様に、Ｂ−２の画像Ｇ２が分割された画像を、細長画像ｓ２１、ｓ２２、ｓ２３、…とし、Ｂ−３の画像Ｇ３が分割された画像を、細長画像ｓ３１、ｓ３２、ｓ３３、…とし、Ｂ−４の画像Ｇ４が分割された画像を、細長画像ｓ４１、ｓ４２、ｓ４３、…とする。
【００２０】
そして、図１（Ｃ）に示すように、画像Ｇ１〜Ｇ４の各細長画像を一つずつ画像Ｇ１〜Ｇ４の順に配列させる。すなわち、左から順に、
ｓ１１、ｓ２１、ｓ３１、ｓ４１、ｓ１２、ｓ２２、ｓ３２、ｓ４２、ｓ１３、ｓ２３、ｓ３３、ｓ４３、ｓ１４、ｓ２４、ｓ３４、ｓ４４、…
と配列する。
【００２１】
そのうえで、
ｓ１１、ｓ２１、ｓ３１、ｓ４１をグループＧｒ１、
ｓ１２、ｓ２２、ｓ３２、ｓ４２をグループＧｒ２、
ｓ１３、ｓ２３、ｓ３３、ｓ４３をグループＧｒ３、
ｓ１４、ｓ２４、ｓ３４、ｓ４４をグループＧｒ４、
……
とすると、各グループＧｒをレンチキュラーレンズの半円筒状レンズの背面に配置されて、レンチキュラーレンズの背面全体にわたって配置されるように、上下左右方向に拡大ないし縮小して網点画像印刷物３とする。
【００２２】
次に、図２を用いてレンチキュラーレンズ４の背面４ａへの網点画像印刷物３の配置について説明する。図２は、立体画像印刷物５の分解斜視図である。図２に示すように、網点画像印刷物３は、各グループＧｒが連接されて構成され、各グループＧｒの細長画像は、レンチキュラーレンズ４における一つの半円筒状レンズ４ｂの背面に合うように配置されて、背面４ａへ貼り合わされる。
【００２３】
続いて、図３を用いて、立体画像印刷物５を備える立体画像印刷表示装置１５について説明する。図３は、立体画像印刷表示装置１５の分解斜視図である。網点画像印刷物３は、各グループＧｒをプラスチック製の透明シートに印刷したものである。立体画像印刷物５の網点画像印刷物３側には、蛍光灯などの照明手段８を備えたバックライト装置９が設けられている。この照明手段８により、立体画像印刷物５の背面から光が照射される。そのため、バックライト装置９の照明手段８の照明により、網点画像印刷物５を明るい状態で観察することができる。立体画像印刷物５とバックライト装置９との間には、照明手段８からの光を拡散させるための光拡散板１１が配置されている。光拡散板１１としては、例えば、乳白色のプレートを用いるとよい。
【００２４】
立体画像印刷物５のレンチキュラーレンズ４側には、レンチキュラーレンズ４を保護するための透明プレート１２が配置され、さらに、その外側に、透明プレート１２、立体画像印刷物５及び光拡散板１１を重ねてバックライト装置９に取り付けるためのフレーム１３が配置される。フレーム１３は、バックライト装置９に対して係合具により取り付けられる。
【００２５】
なお、透明プレート１２は必要に応じて取り付ければよく、フレーム１３を用いずに、レンチキュラーレンズ４をバックライト装置９に直接的または間接的に固定するようにしてもよい。網点画像印刷物３は、透明シートに印刷する場合には、通常の紙に印刷するよりも、濃度を高く（濃く）印刷するとよい。また、レンチキュラーレンズ４に貼り合わせられる面とは別の透明シート３の面に、反転させた画像を印刷する場合にも、濃度を高く（濃く）印刷することが望ましい。網点画像印刷物３は、薄紙や合成紙など、光を透過しやすい他のものであってもよい。光拡散板１１は、必要に応じて配置すればよく、光拡散板１１に直接画像を印刷して、網点画像印刷物３を構成させてもよい。また、バックライト装置９の照明手段は、蛍光灯の他に、ＬＥＤ、有機ＥＬ、無機ＥＬでもよく、一般のディスプレイであってもよい。照明手段が有機ＥＬや無機ＥＬの場合には、網点画像印刷物３あるいは光拡散板１１を有機ＥＬないし無機ＥＬの表面に直接貼り付けてもよい。
【００２６】
続いて、図４を用いて網点画像印刷物３Ａ（３）に網点印刷を行う仕方について説明する。図４（Ａ）は、網点画像印刷物３Ａの網点印刷を説明するための図であり、図４（Ｂ）は、網点画像印刷物３Ａに貼付されるレンチキュラーレンズ４の半円筒状レンズ４ｂの位置関係を説明するための図である。
【００２７】
ここでは、一つの半円筒状レンズ４ｂの背面に貼付される細長画像が１０本あり（１０画素）、階調表現を行う最小単位の領域３ａとして縦方向の１０画素分を用いる場合について説明する。この場合、図４（Ａ）に示すように、１０本の細長画像が横方向に配列され、１本の細長画像について、縦方向１０画素を用いて、ＣＭＹＫのいずれか一つ又は複数の色版でその階調度に応じて格子状に網点を印刷するが、図示しているものは、一つの色版での印刷位置である。なお、隣接する画素は、互いに接しており、各画素は網点印刷の網点に対応する。
【００２８】
図４（Ａ）に示す例では、階調表現を行う各細長画像の最小単位の領域３ａに、ある色版を印刷するにあたって、最も左側の細長画像から右側へ向けて、それぞれ、１，１，２，３，４，６，６，７，８，９画素分を印刷するとする。そして、各細長画像の各領域３ａにおいて、網点を印刷する優先順位は、ランダムに設定されており、図４に示す例では、その優先順位の配列は、最上側画素から下側にかけて、８，１，１０，３，７，６，５，２，９，４位となっている。勿論、優先順位はランダムに設定されるので、この順位に限られない。ここで、同じ一つの半円筒状レンズ４ｂに対応して、当該半円筒状レンズ４ｂの長手方向に直行（横方向）して連続的に配列された複数の細長画像においては、網点印刷の優先順位の配列は同一に設定されている。
【００２９】
このように隣接する細長画像において、網点印刷の優先順位の配列は同一に設定されているので、その結果、半円筒状レンズ４ｂの長手方向に対して直行する方向（横方向）に隣接する印刷すべき画素は、連続することとなる。特に、網点画像印刷物３Ａの特徴として、同じ対象物を、角度を変えて観察した画像を連続的に配列させるために、半円筒状レンズ４ｂに対応する網点画像印刷物３Ａの部分においては、細長画像の内容が徐々に変化する場合が多い。そうすると、その印刷すべき画素は、連続的に繋がった領域を有することになるため、そのような領域においては、刷版機や印刷機等で、連続して網点印刷することにより、解像度を高く設定しても、着肉よく確実に印刷することができる。また、優先順位が同一とされている所定数の細長画像の範囲が、半円筒状レンズに対応した印刷範囲である半円筒状レンズの幅に対応しているので、その優先順位が設定しやすい。
【００３０】
網点画像印刷物３Ａをより全体的に見れば、図５に示すように、網点印刷の優先順位の配列は、同じ一つの半円筒状レンズ４ｂに対応して、その半円筒状レンズ４ｂの長手方向に直行（横方向）して配列された複数の細長画像においては、同一に設定するが、対応する半円筒状レンズ４ｂが異なる細長画像や、同じ半円筒状レンズ４ｂであっても半円筒状レンズ４ｂの長手方向に直行する方向（横方向）に隣接しない細長画像における領域３ａの網点印刷優先順位とは異なるランダム順位に設定すると良い。このような構成とすることにより、まとまったランダム配列が繰り返されて配置されることを避けることができる。
【００３１】
また、ＣＭＹＫのうち、複数の色版で網点画像印刷物３Ａを網点印刷する場合には、同じ細長画像に対する網点印刷の優先順位の配列は、色版ごとに、異なるようにランダムに設定するとよい。これにより、同じ細長画像に対して、印刷する網点を色版によって散在させ、色を適度に分散させて、同じ色が連続する頻度を抑えることにより、視認によるざらつき感をより低減することができる。
【００３２】
ここで、図６及び図７を参照して、レンチキュラーレンズ４の光学的なレンズ効果について説明する。図６に示すように、レンチキュラーレンズ４を通して観察した場合、レンチキュラーレンズ４に対応した網点画像印刷物３Ａの一部分が拡大されて表示される。たとえば視点Ｂから観察した場合には、細長画像Ｂが観察でき、視点Ｈの位置から観察した場合には、細長画像Ｈが観察できる。つまり、図７に示すように、レンチキュラーレンズ４を通して観察した場合は、縦方向に延在する一つのラインの細長画像のみが観察される。そのため、網点画像印刷物３Ａを直接観察してもFM網点分解には見えないが、レンチキュラーレンズ４を通して観察した場合には、FM網点分解を行ったものと同じように短冊状の細長画像を観察することができる。
【００３３】
＜第２実施形態＞
次に第２実施形態に係る立体画像印刷表示装置の立体画像印刷物について説明する。第２実施形態に係る立体画像印刷物が、第１実施形態に係る立体画像印刷物と異なるのは、細長画像における網点の配列であり、その他は、第１実施形態と同様である。したがって、その細長画像における網点の配列について、図８を参照しつつ説明する。
【００３４】
図８は、第２実施形態に係る立体画像印刷物を説明する図であり、図８（Ａ）は網点画像印刷物３Ｂ（３）を示す図であり、図８（Ｂ）は網点画像印刷物３Ｂに対するレンチキュラーレンズ４の配置を示す図である。図８（Ａ）に示すように、半円筒状レンズ４ｂ一つ当たりの背面に貼付される１０本分の細長画像の領域を二分割し、分割部１，２とする。そして、階調表現を行う各細長画像の最小単位の領域３ａに、ある特定の色版を印刷するにあたって、分割部１内の各細長画像の領域３ａにおいては、網点を印刷するランダムな優先順位の配列は同じとする。同様に、分割部２内の各細長画像の領域３ａにおいては、網点を印刷するランダムな優先順位の配列は同じとする。しかしながら、分割部１と分割部２とでは、その優先順位の配列は異なるようにする。
【００３５】
例えば、図８（Ａ）に示すように、分割部１内では、その優先順位の配列は、最上側画素から下側にかけて、５，３，１０，６，２，７，４，８，１，９位とする。その一方、分割部２内では、その優先順位の配列は、最上側画素から下側にかけて、８，１，２，３，７，６，５，１０，９，４位とし、分割部１内の配列とは異なるようにする。
【００３６】
このように、網点印刷の優先順位の配列が同一とされている分割部１，２は、それぞれ半円筒状レンズに対応した印刷範囲（半円筒状レンズの幅）よりも狭くされているため、同様の画像濃度が連続する領域があったとしても、描画されない画素が長く連続しないようにすることができ、視認によるざらつき感をより解消することができる。なお、図８（Ａ）では、一つの半円筒状レンズ４ｂの背面に貼付される領域を二分割したが、三分割以上にして、各分割部ごとに異なる優先順位の配列を設定してもよい。
【００３７】
このように隣接する細長画像において、網点印刷の優先順位の配列は分割部ごとに同一に設定されているので、その結果、半円筒状レンズ４ｂの長手方向に対して直行する方向（横方向）に隣接する印刷すべき画素に、連続する部分が現れる。そうすると、その印刷すべき画素は、連続的に繋がった領域を有することになるため、そのような領域においては、刷版機や印刷機等で、連続して網点印刷することにより、解像度を高く設定しても、着肉よく確実に印刷することができる。
【００３８】
また、ＣＭＹＫのうち、複数の色版で網点画像印刷物３Ｂを網点印刷する場合、同じ細長画像に対する網点印刷の優先順位の配列は、色版ごとに異なるように設定するとよい。さらにこのとき、優先順位の配列が同一とされる分割部を設定するための分割数を、色版ごとに異なるように設定してもよい。この場合、色版ごとに、優先順位の配列が同一とされる範囲の大きさは異なることになる。また、優先順位の配列が同一とされる範囲を色版ごとにずらしてもよい。これらの設定により、印刷する網点を色版によって散在させ、色を適度に分散させて、同じ色が連続する頻度を抑えることにより、視認によるざらつき感をより低減することができる。
【００３９】
＜第３実施形態＞
次に第３実施形態に係る立体画像印刷表示装置の立体画像印刷物について説明する。第３実施形態に係る立体画像印刷物が、第１，２実施形態に係る立体画像印刷物と異なる点も、網点画像印刷物の細長画像における網点の配列であり、その他は、第１実施形態と同様である。したがって、その細長画像における網点の配列について、図９を参照しつつ説明する。
【００４０】
上記第２実施形態では、半円筒状レンズ４ｂ一つ当たりの背面に貼付される１０本分の細長画像の領域を基準に分割して、各分割部内における網点印刷の優先順位の配列を同じくしたが、本第３実施形態では、半円筒状レンズ４ｂに対応した印刷範囲（半円筒状レンズ４ｂの背幅）にこだわらない。図９に示すように、網点画像印刷物３Ｃ（３）において、連続する細長画像の４本を一つのグループとし、同じグループでは、ある色版につき、網点印刷のランダムな優先順位を各細長画像において同じ配列に設定するが、グループごとには、網点印刷の優先順位の配列を異なるようにする。
【００４１】
例えば、図９に示すように、グループ１では、その網点印刷の優先順位の配列は、最上側画素から下側にかけて、３，２，５，６，１，９，８，４，７，１０位とする。グループ２の優先順位の配列は、５，３，１０，６，２，７，４，８，１，９位とする。グループ３の優先順位の配列は、８，１，２，３，７，６，５，１０，９，４位とする。グループ４の優先順位の配列は、９，６，２，８，３，１，７，４，１０，５位とする。このように、グループごとに網点印刷の優先順位の配列を異なるようにする。このとき、半円筒状レンズ４ｂに対応した印刷範囲（半円筒状レンズ４ｂの背幅）にこだわらないため、グループの領域が半円筒状レンズ４ｂ，４ｂの境界をまたがっても構わない。
【００４２】
このように、優先順位の配列が同一とされるグループは、それぞれ半円筒状レンズに対応した印刷範囲（半円筒状レンズの幅）よりも狭くされているため、同様の画像濃度が連続する領域があったとしても、描画されない画素が長く連続しないようにすることができ、視認上のざらつき感をより解消することができる。なお、図９では、連続する細長画像の４本を一つのグループとしたが、グループを構成する細長画像の本数は任意に設定してよい。
【００４３】
このように隣接する細長画像において、網点印刷の優先順位の配列はグループごとに同一に設定されているので、半円筒状レンズ４ｂの長手方向に対して直行する方向（横方向）に隣接する印刷すべき画素に、連続する部分が現れる。そうすると、その印刷すべき画素は、連続的に繋がった領域を有することになるため、そのような領域においては、刷版機や印刷機等で、連続して網点印刷することにより、解像度を高く設定しても、着肉よく確実に印刷することができる。
【００４４】
次に、ＣＭＹＫのうち、複数の色版で網点画像印刷物３Ｃを網点印刷する場合について説明する。図１０は、半円筒状レンズ４ｂの背面に対して貼付される網点画像印刷物３Ｃに印刷するＣ版、Ｍ版、Ｙ版、Ｋ版におけるグループの配列を示す概念図である。図１０において、各版の一点鎖線は、網点印刷の優先順位の配列が同じとされるグループの境界を示す。図１０に示すように、複数の色版で網点画像印刷物３Ｃを網点印刷する場合には、網点印刷の優先順位の配列が同じとされるグループを、色版ごとにずらすように設定するとよい。この設定に加え、或いは、この設定に代えて、同じ細長画像に対する網点印刷の優先順位の配列は、色版ごとに異なるように設定するとよい。また、グループによって、構成する細長画像の本数が異なるように設定してもよい。このような設定により、印刷する網点を色版によって散在させ、色を適度に分散させて、同じ色が連続する頻度を抑えることにより、視認上のざらつき感をより低減することができる。
【００４５】
＜他の実施形態＞
なお、本発明は、上記実施形態に限られない。
【００４６】
上記各実施形態では、各半円筒状レンズの形状に合わせて、その直下に画像データ数分の細長画像を配列させた網点画像印刷物を貼り合せたが、各半円筒状レンズと網点画像印刷物とが対応していれば、この配置に限らなくとも良い。例えば、立体画像印刷物の中央上方から立体画像印刷物を観察することを想定し、その観察点から半円筒状レンズを通して見える範囲に、網点画像印刷物の対応する範囲を配置するようにしてもよい。この場合、半円筒状レンズに対応する印刷範囲（網点画像印刷物の幅）は、半円筒状レンズのピッチ（幅）が一定であっても、半円筒状レンズの位置によって変化する。
【符号の説明】
【００４７】
１…ステレオカメラ、２…被写体、３Ａ，３Ｂ，３Ｃ，（３）…網点画像印刷物、４…レンチキュラーレンズ、４ａ…背面、４ｂ…半円筒状レンズ、５…立体画像印刷物、８…照明手段、９…バックライト装置、１１…光拡散板、１２…透明プレート、１３…フレーム、１５…立体画像印刷表示装置、ｓ１１，ｓ１２，……細長画像。
【図１】
2010258539.tif 000003
【図２】
2010258539.tif 000004
【図３】
2010258539.tif 000005
【図４】
2010258539.tif 000006
【図５】
2010258539.tif 000007
【図６】
2010258539.tif 000008
【図７】
2010258539.tif 000009
【図８】
2010258539.tif 000010
【図９】
2010258539.tif 000011
【図１０】
2010258539.tif 000012
【図１１】
2010258539.tif 000013